(57)【要約】      （修正有）【課題】回動あるいは上方へ移動させることにより、吊り上げ時のワイヤーを取付けることができ、使用時に開口部に砂等の塵埃が入り込まないように蓋皿や吊り上げ作業の準備や後作業時にだけ用いるアイボルトが不要で、簡単に短時間に行なうことができる目地プレートを得る。【解決手段】四角形状の浅皿状に形成された目地プレート本体７と、この目地プレート本体７をワイヤー２０で吊り上げることができる少なくとも３個所の部位に設けられた吊り金具収納凹部と、この吊り金具収納凹部内にそれぞれ回動あるいは上下移動可能に取付けられた、回動あるいは上方へ移動させることにより、該吊り金具収納凹部の上面よりワイヤー挿入孔が形成された一部が上方へ突出する吊り金具１４とで目地プレートを構成している。【選択図】図６
2005240374.tif 000002
【特許請求の範囲】
【請求項１】
四角形状の浅皿状に形成された目地プレート本体と、この目地プレート本体をワイヤーで吊り上げることができる少なくとも３個所の部位に設けられた吊り金具収納凹部と、この吊り金具収納凹部内にそれぞれ回動あるいは上下移動可能に取付けられた、回動あるいは上方へ移動させることにより、該吊り金具収納凹部の上面よりワイヤー挿入孔が形成された一部が上方へ突出する吊り金具とを備えることを特徴とする目地プレート。
【請求項２】
四角形状の浅皿状に形成された目地プレート本体と、この目地プレート本体をワイヤーで吊り上げることができる少なくとも３個所部位に設けられた吊り金具収納凹部と、この吊り金具収納凹部内にそれぞれ回動あるいは上下移動可能で、かつ吊り上げ時に荷重が加わる方向に回動可能に取付けられた、回動あるいは上方へ移動させることにより、該吊り金具収納凹部の上面よりワイヤー挿入孔が形成された一部が上方へ突出する吊り金具とを備えることを特徴とする目地プレート。
【請求項３】
四角形状の浅皿状に形成された目地プレート本体と、この目地プレート本体の両端部寄りの両側部に設けられた４個の吊り金具収納凹部と、この４個の吊り金具収納凹部内にそれぞれ回動あるいは上下移動可能に取付けられた回動あるいは上方へ移動させることにより、該吊り金具収納凹部の上面よりワイヤー挿入孔が形成された一部が上方へ突出する吊り金具とを備えることを特徴とする目地プレート。
【発明の詳細な説明】
【技術分野】
【０００１】
本発明は目地部を介して設けられ、車両の走行が可能な左右の床躯体間の目地部を覆う目地プレートに関する。
【背景技術】
【０００２】
従来のこの種の目地プレートは四角形状の浅皿状に形成された金属材製の目地プレート本体と、この目地プレート本体内に充填されたモルタルと、このモルタルの上面に配置されたタイルや化粧板等の床材と、前記目地プレート本体の四角部寄りの部位に固定された、吊り上げ時にアイボルトを取付けるためのねじ筒とで構成されている。
【０００３】
このように構成された目地プレートは２００ｋｇ〜３００ｋｇとなり、移動時には四角部のねじ筒にそれぞれアイボルトを螺合固定し、該アイボルトにワイヤーを取付けてクレーン等で吊り上げている。
このため、アイボルトの取付け、取り外しや、使用時のねじ筒の開口部を蓋皿を螺合して閉塞しておかなければならず、手数がかかり、コスト高になるという欠点があった。
【特許文献１】特開２００１−３２９６２５
【発明の開示】
【発明が解決しようとする課題】
【０００４】
本発明は以上のような従来の欠点に鑑み、回動あるいは上方へ移動させることにより、吊り上げ時のワイヤーを取付けることができるとともに、使用時に開口部に砂等の塵埃が入り込まないように蓋皿を取付ける作業が不要な、吊り上げ作業の準備や後作業時にだけ用いるアイボルトや蓋皿が不要で、簡単に短時間に行なうことができる目地プレートを提供することを目的としている。                  
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は四角形状の浅皿状に形成された目地プレート本体と、この目地プレート本体をワイヤーで吊り上げることができる少なくとも３個所の部位に設けられた吊り金具収納凹部と、この吊り金具収納凹部内にそれぞれ回動あるいは上下移動可能に取付けられた、回動あるいは上方へ移動させることにより、該吊り金具収納凹部の上面よりワイヤー挿入孔が形成された一部が上方へ突出する吊り金具とで目地プレートを構成している。
【発明の効果】
【０００７】
以上の説明から明らかなように、本発明にあっては次に列挙する効果が得られる。
【０００８】
（１）吊り金具を回動あるいは上方へ移動させることにより、吊り金具収納凹部の上面よりワイヤー挿入孔が形成された部位を上方へ突出させてワイヤーを取付けることができる。
したがって、従来のようにアイボルトを螺合させる作業が不要で、作業が容易で、短時間に行なうことができるとともに、アイボルトの収納管理が不要で、楽に移動作業を行なうことができる。
【０００９】
（２）前記（１）によって、不使用時には吊り金具を吊り金具収納凹部内に収納することができる。
したがって、吊り金具収納凹部内を吊り金具で覆うことができるとともに、移動時に吊り金具を用意したり、探す作業が不要で、確実に吊り上げ作業を行なうことができる。
【００１０】
（３）前記（１）、（２）によって、吊り金具収納凹部内に砂や塵埃等が入り込んでも、ねじ筒と比べ、容易に吊り金具を回動あるいは上方へ移動させて使用することができる。
【００１１】
（４）請求項２も前記（１）〜（３）と同様な効果が得られるとともに、吊り上げ時に吊り金具が曲がったりするのを効率よく防止することができる。
【００１２】
（５）請求項３も前記（１）〜（３）と同様な効果が得られる。
【発明を実施するための最良の形態】
【００１３】
以下、図面に示す本発明を実施するための最良の形態より、本発明を詳細に説明する。
【００１４】
図１ないし図６に示す本発明を実施するための最良の第１の形態において、１は目地部２を介して設けられた車両等の走行が可能な左右の床躯体３、３間の目地部２を覆う本発明の目地プレートで、この目地プレート１は左右の床躯体３、３の目地部２寄りの部位に形成された、該目地部プレート１の後端部を支持する後部支持凹部４と先端部を支持する反目地部側が傾斜面５の前部支持凹部６に支持されるもので、四角形状の浅皿状の金属材製の目地プレート本体７と、この目地プレート本体７内の上部を除く部位に、溶接等によって固定された格子状の補強部材８と、前記目地プレート本体７をワイヤーで吊り上げることができる両端部寄りの両側部にチャンネル部材９、９、９、９を溶接固定して設けられた４個の吊り金具収納凹部１０、１０、１０、１０と、この吊り金具収納凹部１０、１０、１０、１０内を貫通してそれぞれ溶接等によって固定された軸１１、１１、１１、１１が軸孔１２、１２、１２、１２に挿入されて回動可能に取付けられた回動させると該吊り金具収納凹部１０、１０、１０、１０の上面よりワイヤー挿入孔１３、１３、１３、１３が形成された一部が上方へ突出する吊り金具１４、１４、１４、１４と、前記後部支持凹部４に上方へ突出するクサビ状の支持片１５、１５が挿入されるように、前記目地プレート本体７の両側部寄りの後部に形成された支持孔１６、１６と、前記目地プレート本体７内の上部を除く部位に充填されたモルタルあるいはコンクリート１７と、このモルタルあるいはコンクリート１７の上部に設置されたタイルあるいは化粧床材等の床材１８と、前記目地プレート本体７の先端部に回動可能に取付けられた補助目地カバー１９とで構成されている。
【００１５】
上記構成の目地プレート１は、移動時には吊り金具１４、１４、１４、１４を回動させてワイヤー挿入孔１３、１３、１３、１３を目地プレート１の上面より上方へ突出させ、吊り上げワイヤー２０、２０、２０、２０を取付け、該ワイヤー２０、２０、２０、２０をクレーン２１等で吊り上げ、吊り下げしてトラックや使用場所へ移動させる。
移動が完了するとワイヤー２０、２０、２０、２０を吊り金具１４、１４、１４、１４より外し、吊り金具１４、１４、１４、１４を回動させて吊り金具収納凹部１０、１０、１０、１０内に収納することにより、吊り金具収納凹部１０、１０、１０、１０の開口部１０ａ、１０ａ、１０ａ、１０ａが吊り金具１４、１４、１４、１４によって、ほぼ平坦状態で覆われる。
[発明を実施するための異なる形態]
【００１６】
次に、図７ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図７ないし図９に示す本発明を実施するための第２の形態において、前記本発明を実施するための最良の第１の形態と主に異なる点は、回動させてワイヤー挿入孔１３が目地プレート本体７の上部より突出した場合に、吊り金具収納凹部１０内の部位を軸１１、１１、１１、１１の軸心方向に回動できるように薄肉にするとともに、軸孔１２、１２、１２、１２を軸１１、１１、１１、１１の外径寸法よりも大きくした吊り金具１４Ａ、１４Ａ、１４Ａ、１４Ａを用いた点で、このような吊り金具１４Ａ、１４Ａ、１４Ａ、１４Ａを用いて構成した目地プレート１Ａにしても、前記本発明を実施するための最良の第１の形態と同様な作用効果が得られるとともに、吊り上げ時に吊り金具１４Ａ、１４Ａ、１４Ａ、１４Ａに加わる曲げ荷重を小さくできる。
【００１８】
図１０ないし図１２に示す本発明を実施するための第３の形態において、前記本発明を実施するための最良の第１の形態と主に異なる点は、ワイヤー挿入孔兼用の長孔状の軸孔１２Ａ、１２Ａ，１２Ａ、１２Ａが形成された逆台形クサビ状の吊り金具１４Ｂ、１４Ｂ、１４Ｂ、１４Ｂを用いた点で、このような吊り金具１４Ｂ、１４Ｂ、１４Ｂ、１４Ｂを用いて構成した目地プレート１Ｂにしても、前記本発明を実施するための最良の第１の形態と同様な作用効果が得られる。
【００１９】
図１３ないし図１５に示す本発明を実施するための第４の形態において、前記本発明を実施するための最良の第１の形態と主に異なる点は、目地プレート本体７の中央部方向に回動できるように吊り金具収納凹部１０Ａ、１０Ａ、１０Ａ、１０Ａおよび吊り金具１４、１４、１４、１４を取付けた点で、このように構成した目地プレート１Ｃにしても、前記本発明を実施するための最良の第１の形態と同様な作用効果が得られるとともに、吊り上げ時に吊り金具１４、１４、１４、１４に曲げ応力が加わるのを効率よく防止することができる。
【００２０】
図１６ないし図１８に示す本発明を実施するための第５の形態において、前記本発明を実施するための第４の形態と主に異なる点は、一方の端部のほぼ中央部と他方の端部の両側部寄りの部位に吊り金具収納凹部１０Ａ、１０Ａ、１０Ａと吊り金具１４、１４、１４を設けた点で、このように３個の吊り金具１４、１４、１４で目地プレート本体７を吊り上げるようにした目地プレート１Ｄにしても、前記本発明を実施するための第４の形態と同様な作用効果が得られる。
【００２１】
図１９ないし図２１に示す本発明を実施するための第６の形態において、前記本発明を実施するための最良の第１の形態と主に異なる点は、目地部２が狭くなると両端部が左右の床躯体３、３上へ乗り上がる中央維持機構２２を介して取付けられる両端部に補助目地カバー１９、１９が回動可能に取付けられた目地プレート本体７Ａを用いた点で、このような目地プレート本体７Ａを用いて構成した目地プレート１Ｅにしても、前記本発明を実施するための最良の第１の形態と同様な作用効果が得られる。
【００２２】
なお、前記本発明を実施するための各実施の形態では、３個と４個の吊り金具を用いるものについて説明したが、本発明はこれに限らず、４個以上の吊り金具を用いてもよい。
また、前記本発明を実施するための各実施の形態では浅皿状の目地プレート本体を用いるものについて説明したが、本発明はこれに限らず、先端部、両端部が前部支持凹部の傾斜面と対応する傾斜面に形成されたものを用いてもよい。
【産業上の利用可能性】
【００２３】
本発明は目地プレートを製造する産業および、該目地プレートを設置する産業で利用される。
【図面の簡単な説明】
【００２４】
【図１】本発明を実施するための最良の第１の形態の使用状態の平面図。
【図２】図１の２−２線に沿う断面図。
【図３】本発明を実施するための最良の第１の形態の平面図。
【図４】図３の４−４線に沿う拡大断面図。
【図５】本発明を実施するための最良の第１の形態の吊り金具を回動させた状態の説明図。
【図６】本発明を実施するための最良の第１の形態の吊り上げ状態の説明図。
【図７】本発明実施するための第２の形態の使用状態の平面図。
【図８】図７の８−８線に沿う断面図。
【図９】本発明を実施するための第２の形態の要部説明図。
【図１０】本発明実施するための第３の形態の使用状態の平面図。
【図１１】図１０の１１−１１線に沿う断面図。
【図１２】本発明実施するための第３の形態の要部説明図。
【図１３】本発明実施するための第４の形態の使用状態の平面図。
【図１４】図１３の１４−１４線に沿う断面図。
【図１５】本発明実施するための第４の形態の要部説明図。
【図１６】本発明実施するための第５の形態の使用状態の平面図。
【図１７】図１６の１７−１７線に沿う断面図。
【図１８】本発明実施するための第５の形態要部説明図。
【図１９】本発明実施するための第６の形態の使用状態の平面図。
【図２０】図１９の２０−２０線に沿う断面図。
【図２１】本発明実施するための第６の形態の要部説明図。
【符号の説明】
【００２５】
１、１Ａ、１Ｂ、１Ｃ、１Ｄ、１Ｅ：目地プレート、
２：目地部、                    ３：床躯体、
４：後部支持凹部、              ５：傾斜面、
６：前部支持凹部、              ７、７Ａ：目地プレート本体、
８：補強部材、                  ９：チャンネル材、
１０、１０Ａ：吊り金具収納凹部、
１１：軸、                      １２、１２Ａ：軸孔、
１３：ワイヤー挿入孔、          １４、１４Ａ、１４Ｂ：吊り金具、
１５：支持片、                  １６：支持孔、
１７：モルタルあるいはコンクリート、
１８：床材、                    １９：補助目地カバー、
２０：ワイヤー、                ２１：クレーン、
２２：中央維持機構。
【図１】
2005240374.tif 000003
【図２】
2005240374.tif 000004
【図３】
2005240374.tif 000005
【図４】
2005240374.tif 000006
【図５】
2005240374.tif 000007
【図６】
2005240374.tif 000008
【図７】
2005240374.tif 000009
【図８】
2005240374.tif 000010
【図９】
2005240374.tif 000011
【図１０】
2005240374.tif 000012
【図１１】
2005240374.tif 000013
【図１２】
2005240374.tif 000014
【図１３】
2005240374.tif 000015
【図１４】
2005240374.tif 000016
【図１５】
2005240374.tif 000017
【図１６】
2005240374.tif 000018
【図１７】
2005240374.tif 000019
【図１８】
2005240374.tif 000020
【図１９】
2005240374.tif 000021
【図２０】
2005240374.tif 000022
【図２１】
2005240374.tif 000023